(57)【特許請求の範囲】
【請求項１】
室内に配される室内機を覆うキャビネットと、前記キャビネット内に配されて気流を発生する送風ファンと、前記送風ファンの駆動によって室内の空気を前記キャビネット内に取り込む吸込口と、前記送風ファンと前記吸込口との間に配されて冷凍サイクルの運転により冷媒が流通する室内熱交換器と、前記送風ファンの駆動によって前記室内熱交換器と熱交換した空気を室内に吹き出す吹出口と、前記吸込口を介して前記室内熱交換器の下流部に導かれる空気の流路を開閉する開閉機構とを備え、前記開閉機構を開いた状態で暖房運転を行う第１暖房運転モードと、前記開閉機構を閉じた状態で暖房運転を行う第２暖房運転モードとを設けたことを特徴とする空気調和機。
【請求項２】
前記室内熱交換器に流入する冷媒の温度が第１暖房運転モードよりも第２暖房運転モードの方が高いことを特徴とする請求項１に記載の空気調和機。
【請求項３】
前記室内熱交換器は前記送風ファンの前方及び後方を覆うように屈曲して配置され、前記吸込口を前記キャビネットの上面に設けるとともに前記吸込口の後部を前記開閉機構により開閉したことを特徴とする請求項１または請求項２に記載の空気調和機。
【請求項４】
前記吹出口の開口面積を可変する絞り部を設け、第２暖房運転モード時に第１暖房運転モード時よりも前記送風ファンによる送風量を少なくするとともに前記絞り部によって前記吹出口を狭くしたことを特徴とする請求項１〜請求項３のいずれかに記載の空気調和機。
【請求項５】
前記吹出口から送出される空気の風向を可変する風向板によって前記絞り部を形成したことを特徴とする請求項４に記載の空気調和機。
【請求項６】
第２暖房運転モードに連続して第１暖房運転モードを実施する第３暖房運転モードを設けたことを特徴とする請求項１〜請求項５のいずれかに記載の空気調和機。
【発明の詳細な説明】
【技術分野】
【０００１】
本発明は、暖房運転を行う空気調和機に関する。
【背景技術】
【０００２】
図６は従来の空気調和機の室内機を示す側面断面図である。空気調和機１の室内機２は室内の壁面に取り付けられるキャビネット３で覆われる。キャビネット３の上面には吸込口４が設けられている。キャビネット３の前面側の下端部には室内機２の幅方向に延びる略矩形の吹出口５が形成されている。
【０００３】
室内機２の内部には吸込口４から吹出口５に連通する送風経路６が形成されている。送風経路６内には空気を送出する送風ファン７が配されている。吸込口４の近傍には吸込口４から吸い込まれた空気に含まれる塵埃を捕集するエアフィルタ８が設けられている。送風経路６内の吹出口５の近傍には、垂直方向の風向を可変する横ルーバ１１が設けられている。
【０００４】
送風経路６中の送風ファン７とエアフィルタ８との間には室内熱交換器９が配置されている。室内熱交換器９は室外機（不図示）に設けられた圧縮機、四方弁、膨張弁、室外熱交換器（いずれも不図示）とともに冷媒が流通する冷媒管により配管され、冷凍サイクルを構成している。
【０００５】
上記構成の空気調和機において、空気調和機の運転を開始すると、圧縮機が駆動され、室外機からの冷媒が室内熱交換器９へ流れる。暖房運転時には室内熱交換器９が冷凍サイクルの高温側に配され、室外熱交換器が低温側に配される。冷房運転時には室内熱交換器９が冷凍サイクルの低温側に配され、室外熱交換器が高温側に配される。
【０００６】
送風ファン７が駆動されると室内機２内には吸込口４から空気が吸い込まれ、エアフィルタ８によって空気中に含まれる塵埃が除去される。室内機２内に取り込まれた空気は室内熱交換器９と熱交換し、加熱または冷却される。そして、送風経路６を通って横ルーバ１１によって上下方向に向きを規制されて吹出口５から調和空気が室内に送出される。
【０００７】
【特許文献１】特開平２−１７１５１９号公報（第１頁−第２頁、第３図）
【発明の開示】
【発明が解決しようとする課題】
【０００８】
上記の従来の空気調和機１によると室内機２に空気を吸い込む際の抵抗を小さくするため、吸込口４は大きく開口されている。その結果、室内機１には空気が効率よく吸い込まれて室内熱交換器９を満遍なく通過し、暖房運転時には室内熱交換器９内の冷媒は効率よく放熱する。同時に、吸込口４から吸い込まれた空気は室内熱交換器９との熱交換によって加熱される。
【０００９】
暖房運転時に室内熱交換器９内の冷媒は流入時の過熱状態から２相域を経て流出時には過冷却状態まで変化する。これにより、室内熱交換器９内の冷媒の温度は例えば約８０℃から約４０℃まで大きく低下する。一方、吸込口４から吸い込まれた空気は例えば５０℃前後まで加熱され、吹出口５から送出される。
【００１０】
暖房運転の開始時等には、より高温の空気を吹出口５から送出することによって使用者に与える暖房感を高めて快適性を向上することができる。このため、特許文献１には２つの送風ファンを備えた空気調和機が開示される。この空気調和機によると、２つの送風ファンにより通常の暖房運転を行い、一方の送風ファンを停止してより高温の暖房運転を行う。
【００１１】
これにより、高温の暖房運転時の風量を減少させて室内熱交換器との単位風量当たりの熱交換量を増加して高温の空気を吹き出す。加えて、風速を低下させずに床面まで暖気を行き届かせることができる。しかしながら、この空気調和機によると複数の送風ファンを必要とするため空気調和機のコストが高くなる問題がある。
【００１２】
一方、圧縮機の運転周波数を上昇させると圧力及び温度が高くなり、冷媒の過熱度を大きくすることができる。これにより、過熱度の大きな冷媒を室内熱交換器に供給して室内熱交換器９の平均温度を上昇させることできる。しかし、電流容量や圧縮機の使用条件に制限があることから、圧縮機の運転周波数の上昇幅には限界がある。
【００１３】
加えて、室内熱交換器９は冷媒が流入する側の上流部から冷媒が流出する側の下流部に至る間に２相域まで冷却される。吸込口４が大きく開口されるため、キャビネット内に取り込まれた空気は室内熱交換器９の降温された下流部を含む全体と熱交換が行われる。        
【００１４】
これらによって、吹出口５から吹き出される空気を十分高温（例えば６０℃以上）にできない問題があった。
【００１５】
本発明は、低コストで使用者に与える暖房感をより高くできる空気調和機を提供することを目的とする。
【課題を解決するための手段】
【００１６】
上記目的を達成するために本発明は、室内に配される室内機を覆うキャビネットと、前記キャビネット内に配されて気流を発生する送風ファンと、前記送風ファンの駆動によって室内の空気を前記キャビネット内に取り込む吸込口と、前記送風ファンと前記吸込口との間に配されて冷凍サイクルの運転により冷媒が流通する室内熱交換器と、前記送風ファンの駆動によって前記室内熱交換器と熱交換した空気を室内に吹き出す吹出口と、前記吸込口を介して前記室内熱交換器の下流部に導かれる空気の流路を開閉する開閉機構とを備え、前記開閉機構を開いた状態で暖房運転を行う第１暖房運転モードと、前記開閉機構を閉じた状態で暖房運転を行う第２暖房運転モードとを設けたことを特徴としている。
【００１７】
この構成によると、第１暖房運転時には開閉機構が開かれ、送風ファンの駆動によって吸込口全体から室内の空気がキャビネット内に取り込まれる。吸込口から流入した空気は室内熱交換器全体と熱交換し、吹出口から送出される。第２暖房運転時には開閉機構が閉じられ、送風ファンの駆動によって吸込口の一部から室内の空気がキャビネット内に取り込まれる。室内熱交換器は過熱状態の冷媒が流入して上流部で高温の冷媒が流通し、下流部に至る間に冷媒が降温される。開閉機構によって室内熱交換器の下流部に導かれる空気の流路が遮蔽され、吸込口から流入した空気は室内熱交換器の上流部と熱交換して吹出口から送出される。開閉機構はキャビネットの内部に設けてもよく、キャビネットの外側に設けてもよい。
【００１８】
また本発明は、上記構成の空気調和機において、前記室内熱交換器に流入する冷媒の温度が第１暖房運転モードよりも第２暖房運転モードの方が高いことを特徴としている。この構成によると、第２暖房運転モードでは第１暖房運転モードよりも過熱度の高い冷媒が室内熱交換器に流入する。
【００１９】
また本発明は、上記構成の空気調和機において、前記室内熱交換器は前記送風ファンの前方及び後方を覆うように屈曲して配置され、前記吸込口を前記キャビネットの上面に設けるとともに前記吸込口の後部を前記開閉機構により開閉したことを特徴としている。
【００２０】
この構成によると、キャビネットの上面に吸込口が設けられ、開閉機構を開くと送風ファンの前方及び後方の室内熱交換器に空気が導かれる。吸込口の後部を開閉機構により閉じると、送風ファンの前方の室内熱交換器に空気が導かれるとともに後方の室内熱交換器に導かれる空気の流路が遮断される。
【００２１】
また本発明は、上記構成の空気調和機において、前記吹出口の開口面積を可変する絞り部を設け、第２暖房運転モード時に第１暖房運転モード時よりも前記送風ファンによる送風量を少なくするとともに前記絞り部によって前記吹出口を狭くしたことを特徴としている。
【００２２】
この構成によると、第１暖房運転モードでは絞り部を開いて吹出口が広く開口し、室内熱交換器と熱交換された空気が吹き出される。第２暖房運転モードでは絞り部によって吹出口の開口が狭められ、低速で室内熱交換器と熱交換した空気が吹出口で流速を増加して吹き出される。
【００２３】
また本発明は、上記構成の空気調和機において、前記吹出口から送出される空気の風向を可変する風向板によって前記絞り部を形成したことを特徴としている。この構成によると、第１暖房運転モード時や冷房運転時に風向板によって吹出口からの風向が可変される。第２暖房運転モード時には風向板によって吹出口の開口が狭められる。
【００２４】
また本発明は、上記構成の空気調和機において、第２暖房運転モードに連続して第１暖房運転モードを実施する第３暖房運転モードを設けたことを特徴としている。この構成によると、第３暖房運転モードを開始すると、第２暖房運転モードが行われる。所定時間が経過した場合や室内温度が所定温度に到達した場合等の所定条件を満たすと第１暖房運転モードに切り替えられる。
【発明の効果】
【００２５】
本発明によると、吸込口を介して室内熱交換器の下流部に導かれる空気の通路を開閉する開閉機構を備え、開閉機構を開いた状態で第１暖房運転モードを行い、開閉機構を閉じた状態で第２暖房運転モードを行う。これにより、第２暖房運転モード時に吸込口から取り込まれた空気は降温された室内熱交換器の下流部と熱交換されず、高温の室内熱交換器の上流部と熱交換して送出される。また、室内熱交換器と熱交換される空気量が減少して単位風量当たりの熱交換量を増加させることができる。
【００２６】
従って、簡単な構成によって低コストで吹出し温度を高温にして使用者に与える暖房感を高くすることができる。また、第１暖房運転モードでは大量の空気が室内熱交換器全体と熱交換して昇温され、暖房効率を高く維持することができる。
【発明を実施するための最良の形態】
【００２７】
以下に本発明の実施形態を図面を参照して説明する。説明の便宜上、前述の図６に示す従来例と同一の部分は同一の符号を付している。図１は一実施形態の空気調和機を示す構成図である。空気調和機１は室内に配される室内機２及び屋外に配される室外機２０を有している。
【００２８】
室外機２０には圧縮機１５、四方弁１６、膨張弁１７及び室外熱交換器１８が配される。室内機２には室内熱交換器９が配される。冷媒が流通する冷媒管２２により圧縮機１５の一端には四方弁１６を介して室外熱交換器１８の一端が接続され、圧縮機１５の他端には室内熱交換器９の一端が接続される。室外熱交換器１８及び室内熱交換器９の他端は冷媒管２２により膨張弁１７を介して接続される。
【００２９】
これにより、冷凍サイクルが構成され、圧縮機１５の駆動によって冷媒管２２をＲ４１０Ａ等の冷媒が流通して冷凍サイクルが運転される。冷房運転時には冷凍サイクルの高温側に室外熱交換器１８が配され、低温側に室内熱交換器９が配される。暖房運転時には四方弁１６の切替えにより冷凍サイクルの高温側に室内熱交換器９が配され、低温側に室外熱交換器１８が配される。
【００３０】
図２は室内機２の側面断面図を示している。室内機２はキャビネット３で覆われる。キャビネット３は背面に爪部（不図示）が設けられ、室内の壁Ｗ（図１参照）に取り付けられた取付板に該爪部を嵌合して支持される。キャビネット３の上面には吸込口４が設けられている。キャビネット３の前面側の下端部には室内機２の幅方向に延びる略矩形の吹出口５が形成されている。
【００３１】
室内機２の内部には吸込口４から吹出口５に連通する送風経路６が形成されている。送風経路６内には気流を発生させる送風ファン７が配されている。送風ファン７として例えば、クロスフローファン等を用いることができる。吸込口４の近傍には吸込口４から吸い込まれた空気に含まれる塵埃を捕集するエアフィルタ８が設けられている。
【００３２】
送風経路６内の吹出口５の近傍には、横ルーバ１１（風向板）が設けられている。横ルーバ１１は軸部１１ａで回動自在に支持され、吹出口５からの垂直方向の風向を可変する。また、横ルーバ１１の一端を送風経路６の上面に接するように配置すると吹出口５の開口面積を狭くすることができる（図４参照）。従って、横ルーバ１１は吹出口５の開口面積を可変する絞り部を構成する。
【００３３】
送風経路６中の送風ファン７とエアフィルタ８との間には室内熱交換器９が配置されている。室内熱交換器９は冷媒が流出入する流路端９ａ、９ｂの間に蛇行して配置される冷媒管２２に熱交換用の多数のフィン（不図示）を付設して形成されている。前方の流路端９ａに四方弁１６（図１参照）が接続され、後方の流路端９ｂに膨張弁１７が接続されている。また、室内熱交換器９は屈曲して送風ファン７の前方及び後方を覆うように配置されている。
【００３４】
キャビネット３の上面には開閉機構３０が設けられる。開閉機構３０は軸部３０ａで枢支され、吸込口４の後部を塞ぐ位置と開放する位置との間を回動する。これにより、吸込口４を介して室内熱交換器９の後部に導かれる空気の流路を開閉する。
【００３５】
上記構成の空気調和機１において、冷房運転時には四方弁１６の切替えによって室内熱交換器９の流路端９ｂから流路端９ａに向かって冷媒が流通する。これにより、室内熱交換器９が冷凍サイクルの低温側に配される。図３に示すように、開閉機構３０が開かれて送風ファン７の駆動によって矢印Ａ１に示すように吸込口４の全体からキャビネット３内に室内の空気が取り込まれる。
【００３６】
キャビネット３内に流入した空気は室内熱交換器９と熱交換して降温される。室内熱交換器９と熱交換した空気は送風経路６を流通して矢印Ａ２に示すように吹出口５から所定方向に送出される。
【００３７】
暖房運転には通常暖房運転モード（第１暖房運転モード）、高温暖房運転モード（第２暖房運転モード）及び連続暖房運転モード（第３暖房運転モード）が設けられる。通常暖房運転モードは吹出口５から暖気を送出して通常の暖房運転を行う。高温暖房運転モードは通常暖房運転モードよりも高温の空気を送出する。連続暖房運転モードは高温暖房運転モードの後に通常暖房運転モードを行う。各モードはリモートコントローラ（不図示）の操作によって使用者により切り替えることができる。
【００３８】
暖房運転時には四方弁１６の切替えによって室内熱交換器９の流路端９ａから流路端９ｂに向かって冷媒が流通する。これにより、室内熱交換器９が冷凍サイクルの高温側に配される。
【００３９】
通常暖房運転モードでは図３に示すように、開閉機構３０が開かれて送風ファン７の駆動によって矢印Ａ１に示すように吸込口４の全体からキャビネット３内に室内の空気が取り込まれる。キャビネット３内に流入した空気は室内熱交換器９と熱交換して昇温される。室内熱交換器９と熱交換した空気は送風経路６を流通して矢印Ａ２に示すように吹出口５から室内の所定方向に送出される。その後、室内の温度が高くなると圧縮機１５の運転周波数を下げ、室内の温度が低くなると圧縮機１５の運転周波数を上げて暖房運転が継続される。
【００４０】
高温暖房運転モードでは圧縮機１５が通常暖房運転モードよりも運転周波数を高くして駆動される。これにより、冷媒の過熱度が大きくなり、圧縮機１５から吐出される冷媒の温度が通常暖房運転モード時に例えば８５℃であるのに対して例えば１００℃まで昇温される。
【００４１】
図４に示すように、開閉機構３０が閉じられて送風ファン７の駆動によって矢印Ａ３に示すように吸込口４の前部からキャビネット３内に室内の空気が取り込まれる。これにより、室内熱交換器９に導かれる空気量が通常暖房運転モード時よりも減少する。また、送風ファン７の回転数は通常暖房運転モードよりも小さくなっている。これにより、室内熱交換器９に導かれる空気量が更に減少する。
【００４２】
キャビネット３内に流入した空気は室内熱交換器９の主に前部と熱交換して昇温される。この時、室内熱交換器９は過熱度の高い冷媒が流入して前方の上流部の温度が高くなり、後方の下流部では放熱によって過冷却状態となるため温度が低くなる。開閉機構３０によって室内熱交換器９の下流部に導かれる空気の流路が閉じられ、キャビネット３内に流入した空気は室内熱交換器９の高温の上流部と熱交換する。
【００４３】
室内熱交換器９と熱交換した空気は送風経路６を流通して矢印Ａ４に示すように吹出口５に導かれる。この時、横ルーバ１１により吹出口５が絞られ、開口面積の狭くなった吹出口５により流速を増加した高温の空気が室内に送出される。横ルーバ１１は一端を送風経路６の上壁に接して吹出口５を絞った際に気流を真下方向に導くように形成される。これにより、通常暖房運転モード時と同等の風速を維持して床面まで暖気を到達させることができる。そして、圧縮機１５の運転周波数が高い状態で暖房運転が継続される。この時、室内温度が所定の上限温度になると安全のために圧縮機１５の運転周波数が低下若しくは停止される。
【００４４】
図５は連続暖房運転モードの動作を示すフローチャートである。連続暖房運転モードを開始する指示があると、ステップ＃１１で高温暖房運転モードが行われる。ステップ＃１２では室内機２またはリモートコントローラに設けられるタイマーによって所定時間が経過したか否かが判断される。
【００４５】
所定時間が経過するとステップ＃１４に移行し、所定時間が経過していない場合はステップ＃１３に移行する。ステップ＃１３ではリモートコントローラに設けられる温度センサによって室内の温度が設定温度以上になったか否かが判断される。室内の温度が設定温度以上になった場合はステップ＃１４に移行する。室内の温度が設定温度以上になっていない場合はステップ＃１２、＃１３が繰り返し行われる。
【００４６】
所定時間が経過した場合または室内の温度が設定温度以上になるとステップ＃１４で高温暖房運転モードが停止される。そして、ステップ＃１５で通常暖房運転モードが行われる。
【００４７】
本実施形態によると、吸込口４の後部を開閉する開閉機構３０を備え、開閉機構３０を開いた状態で通常暖房運転モード（第１暖房運転モード）を行い、開閉機構を閉じた状態で高温暖房運転モード（第２暖房運転モード）を行う。これにより、高温暖房運転モード時に吸込口４から取り込まれた空気は降温された室内熱交換器９の下流部と熱交換されず、高温の室内熱交換器９の上流部と熱交換して送出される。また、室内熱交換器９と熱交換される空気量が減少して単位風量当たりの熱交換量を増加させることができる。
【００４８】
従って、簡単な構成によって低コストで吹出し温度を高温にして使用者に与える暖房感を高くすることができる。また、通常暖房運転モードでは大量の空気が室内熱交換器９全体と熱交換して昇温され、暖房効率を高く維持することができる。
【００４９】
また、高温暖房運転モードでは圧縮機１５の運転周波数を高くして過熱度を大きくし、室内熱交換器９に流入する冷媒の温度を通常暖房運転モードよりも高くしている。これにより、吹出し温度を容易に高くすることができる。
【００５０】
また、高温暖房運転モードでは送風ファン７の回転数を通常暖房運転モード時よりも低くし、横ルーバ１１から成る絞り部によって吹出口５の開口面積を狭くしているので、風量が低下して単位風量当たりの熱交換量を更に増加させることができる。また、吹出口５から吹き出される空気の流速を速くして床面まで暖気を行き届かせることができる。
【００５１】
また、吹出口５の風向を可変する横ルーバ１１によって絞り部を形成しているため部品点数を削減することができる。
【００５２】
また、連続暖房運転モード（第３暖房運転モード）を設けたので、運転開始時に高温暖房運転モードによって高温の空気が吹き出されて使用者に高い暖房感を与えることができる。そして、所定条件で通常暖房運転モードに切り替えられるため使用者に過度に高温の温風を浴びせることがなく、快適性を向上することができる。
【００５３】
本実施形態において、開閉機構３０はキャビネット３の外側に設けられるが、内側に設けてもよい。即ち、開閉機構３０によって吸込口４を介して室内熱交換器９の下流部に導かれる空気の流路を開閉されていれば同様の効果を得ることができる。また、吸込口４をキャビネット３の前面に設けてもよい。
【００５４】
また、本実施形態のように、室内熱交換器９を送風ファン７の前方及び後方を覆うように屈曲して配置し、吸込口４をキャビネット３の上面に設けて吸込口４の後部を開閉機構３０により開閉すると、容易に室内熱交換器９の下流部に導かれる空気の流路を開閉することができる。更に、開いた状態の開閉機構３０が視認されにくくなるため室内機２の美感を向上することができる。
【実施例１】
【００５５】
以下に本発明の実施例を説明する。表１は上記実施形態の空気調和機１による通常暖房運転モード及び高温暖房運転モードの吹出口５からの吹出し空気の温度を調べた結果を示している。圧縮機１５の暖房能力は３．６ｋＷ、冷媒はＲ４１０Ａである。また、室内温度２０℃、外気温２℃の条件下で測定している。比較のため、開閉機構３０を開いて横ルーバ１１による絞り部を開いた状態の比較例１〜３を並記している。
【００５６】
【表１】
0004990841.tif 000002
【００５７】
通常暖房運転モードでは開閉機構３０は開かれ、横ルーバ１１による絞り部が開かれる。また、送風ファン７の回転数が１３００ｒｐｍ、吹出口５の風量が１０．０ｍ3／ｍｉｎ、圧縮機１５から吐出される冷媒の温度が８４．０℃である。これにより、室内熱交換器９の流路端９ａ、９ｂの冷媒温度はそれぞれ７５．４℃、２７．２℃となり、吹出口５の吹出し温度は５０．５℃となっている。
【００５８】
高温暖房運転モードでは開閉機構３０は閉じられ、横ルーバ１１による絞り部により吹出口５が絞られる。また、送風ファン７の回転数が８４５ｒｐｍ、吹出口５の風量が４．６ｍ3／ｍｉｎ、圧縮機１５から吐出される冷媒の温度が１００．９℃である。これにより、室内熱交換器９の流路端９ａ、９ｂの冷媒温度はそれぞれ８８．７℃、４６．６℃となり、吹出口５の吹出し温度は６４．５℃となっている。
【００５９】
比較例１では開閉機構３０は開かれ、横ルーバ１１による絞り部が開かれる。また、送風ファン７の回転数が１０４５ｒｐｍ、吹出口５の風量が７．５ｍ3／ｍｉｎ、圧縮機１５から吐出される冷媒の温度が１００．７℃である。これにより、室内熱交換器９の流路端９ａ、９ｂの冷媒温度はそれぞれ９１．０℃、３０．４℃となり、吹出口５の吹出し温度は５８．０℃となっている。
【００６０】
比較例２では開閉機構３０は開かれ、横ルーバ１１による絞り部が開かれる。また、送風ファン７の回転数が８４５ｒｐｍ、吹出口５の風量が５．５ｍ3／ｍｉｎ、圧縮機１５から吐出される冷媒の温度が１００．５℃である。これにより、室内熱交換器９の流路端９ａ、９ｂの冷媒温度はそれぞれ８９．０℃、３５．６℃となり、吹出口５の吹出し温度は６１．０℃となっている。
【００６１】
比較例３では開閉機構３０は開かれ、横ルーバ１１による絞り部が開かれる。また、送風ファン７の回転数が６４５ｒｐｍ、吹出口５の風量が３．５ｍ3／ｍｉｎ、圧縮機１５から吐出される冷媒の温度が９７．６℃である。これにより、室内熱交換器９の流路端９ａ、９ｂの冷媒温度はそれぞれ８３．３℃、４２．１℃となり、吹出口５の吹出し温度は６１．４℃となっている。
【００６２】
即ち、比較例１〜３では、圧縮機１５から吐出される冷媒温度を約１００℃まで高くして風量を少なくしても吹出し空気の温度の昇温は６１．４℃程度が限界である。これに対して、本実施形態では開閉機構３０を設けることによって吹出し空気の温度を６４．５℃まで高温にすることができる。従って、高温暖房運転モードによって吹出し空気の温度を従来よりも大きく上昇させることができる。
【産業上の利用可能性】
【００６３】
本発明によると、暖房運転を行う家庭用及び業務用の空気調和機に適用することができる。
【図面の簡単な説明】
【００６４】
【図１】本発明の実施形態の空気調和機を示す構成図
【図２】本発明の実施形態の空気調和機の室内機を示す側面断面図
【図３】本発明の実施形態の空気調和機の室内機の通常暖房運転モード時の状態を示す側面断面図
【図４】本発明の実施形態の空気調和機の室内機の高温暖房運転モード時の状態を示す側面断面図
【図５】本発明の実施形態の空気調和機の室内機の連続暖房運転モード時の動作を示すフローチャート
【図６】従来の空気調和機の室内機を示す側面断面図
【符号の説明】
【００６５】
１    空気調和機
２    室内機
３    キャビネット
４    吸込口
５    吹出口
６    送風経路
７    送風ファン
８    エアフィルタ
９    室内熱交換器
９ａ、９ｂ  流路端
１１    横ルーバ
１５    圧縮機
１６    四方弁
１７    膨張弁
１８    室外熱交換器
２０    室外機
２２    冷媒管
３０    開閉機構
【図１】
0004990841.tif 000003
【図２】
0004990841.tif 000004
【図３】
0004990841.tif 000005
【図４】
0004990841.tif 000006
【図５】
0004990841.tif 000007
【図６】
0004990841.tif 000008